(57)【要約】      （修正有）【課題】使用者が感覚的に回転部材の回転方向を認識することが可能な動作玩具を提供する。【解決手段】動作玩具１は、本体部２と、本体部に対して回転可能な回転部３と、回転部を回転不能にロックするロック部５と、ロック部の解除に伴い、回転部を一方向に回転させる駆動手段とを備え、駆動手段は、本体部及び回転部のいずれか一方に設けられ、回転部の回転方向に傾いた傾斜面を有するカムと、本体部及び回転部のいずれか他方に設けられ、傾斜面を摺動するフォロアと、フォロアを傾斜面に向けて弾性的に付勢する付勢部材と、を含む。【選択図】図１
2019209118.tif 000002
【特許請求の範囲】
【請求項１】
本体部と、
前記本体部に対して回転可能な回転部と、
前記回転部を回転不能にロックするロック部と、
前記ロック部の解除に伴い、前記回転部を一方向に回転させる駆動手段と、
を備える動作玩具。
【請求項２】
請求項１記載の動作玩具であって、
前記駆動手段は、
前記本体部及び前記回転部のいずれか一方に設けられ、前記回転部の回転方向に傾いた傾斜面を有するカムと、
前記本体部及び前記回転部のいずれか他方に設けられ、前記傾斜面を摺動するフォロアと、
前記フォロアを前記傾斜面に向けて弾性的に付勢する付勢部材と、
を含む動作玩具。
【請求項３】
請求項１又は２記載の動作玩具であって、
前記駆動手段は、前記回転部の回転軸から外れている前記回転部の重心を含む動作玩具。
【請求項４】
請求項１から３のいずれか一項記載の動作玩具であって、
前記駆動手段によって回転された前記回転部を制止させるストッパを備える動作玩具。
【請求項５】
請求項１から４のいずれか一項記載の動作玩具であって、
前記本体部は、使用者が装着可能であり、前記本体部を装着した使用者を正面から見た場合に、前記回転部は、前記駆動手段によって反時計周りに回転される動作玩具。
【請求項６】
請求項１から５のいずれか一項記載の動作玩具であって、
演出出力部と、前記演出出力部を作動させるスイッチと、を有する副玩具体を備え、
前記回転部は、前記副玩具体が着脱可能に取り付けられる一つ以上の取付部を有し、
前記取付部は、当該取付部に取り付けられた前記副玩具体の前記スイッチを操作可能な可動部を含み、
前記本体部は、前記回転部の回転に応じて前記可動部と係合し、係合する前記可動部を前記スイッチを操作する方向に移動させる一つ以上のガイドを有する動作玩具。
【請求項７】
請求項６記載の動作玩具であって、
前記取付部及び前記ガイドは、前記回転部の回転方向に間隔をあけて複数設けられており、
前記複数の取付部の前記可動部は、前記回転部の回転に応じ、互いに同期して前記副玩具体の前記スイッチを操作する動作玩具。
【請求項８】
請求項７記載の動作玩具であって、
前記複数のガイドは、前記回転部が前記ロック部によってロックされている状態で前記複数の取付部の前記可動部と係合する位置に設けられており、
前記複数の取付部及び前記複数のガイドの数をｎとして、前記副玩具体は、前記スイッチがｎ＋１回操作された場合に前記演出出力部を作動させる動作玩具。
【請求項９】
請求項７又は８記載の動作玩具であって、
前記副玩具体は、前記スイッチとして、第１スイッチと、第２スイッチとを有し、
前記回転部は、前記複数の取付部として、第１取付部と、第２取付部とを有し、
前記第１取付部の前記可動部は、前記回転部の回転に応じ、当該第１取付部に取り付けられた前記副玩具体の前記第１スイッチを操作し、
前記第２取付部の前記可動部は、前記回転部の回転に応じ、当該第２取付部に取り付けられた前記副玩具体の前記第２スイッチを操作し、
前記第１取付部の前記可動部によって前記第１スイッチを操作された前記副玩具体が第１演出を出力され、前記第１演出に続いて、前記第２取付部の前記可動部によって前記第２スイッチを操作された前記副玩具体が第２演出を出力する動作玩具。
【請求項１０】
請求項６から９のいずれか一項記載の動作玩具であって、
前記演出出力部は、光及び音の少なくとも一方による演出を出力する動作玩具。
【発明の詳細な説明】
【技術分野】
【０００１】
本発明は、動作玩具に関する。
【背景技術】
【０００２】
特許文献１に記載された玩具は、回転部材の回転を検出する検出部を二箇所有し、それぞれの検出部の検出に応じて演出を出力する。特許文献２に記載された玩具は、複数の回転部材の回転を検出して演出を出力する。
【先行技術文献】
【特許文献】
【０００３】
【特許文献１】特開２０１６−１０６６５８号公報
【特許文献２】特開２０１５−２０２１７２号公報
【発明の概要】
【発明が解決しようとする課題】
【０００４】
特許文献１に記載された玩具や特許文献２に記載された玩具においては、回転部材の正しい回転方向は、使用者が注意して確認する必要があった。
【０００５】
本発明は、使用者が感覚的に回転部材を回転させるべき方向を認識することが可能な動作玩具を提供することを目的とする。
【課題を解決するための手段】
【０００６】
本発明に係る動作玩具は、本体部と、前記本体部に対して回転可能な回転部と、前記回転部を回転不能にするロック部と、前記ロック部の解除に伴い、前記回転部を一方向に回転させる駆動手段と、を備えることを特徴とする。
【０００７】
また、本発明に係る動作玩具においては、前記駆動手段は、前記本体部及び前記回転部のいずれか一方に設けられ、前記回転部の回転方向に傾いた傾斜面を有するカムと、前記本体部及び前記回転部のいずれか他方に設けられ、前記傾斜面を摺動するフォロアと、前記フォロアを前記傾斜面に向けて弾性的に付勢する付勢部材と、を含んでもよい。
【０００８】
また、本発明に係る動作玩具においては、前記駆動手段は、前記回転部の回転軸から外れている前記回転部の重心を含むものでもよい。
【０００９】
また、本発明に係る動作玩具においては、前記駆動手段によって回転された前記回転部を制止させるストッパを備えるものでもよい。
【００１０】
また、本発明に係る動作玩具においては、前記本体部は、使用者が装着可能であり、前記本体部を装着した使用者を正面から見た場合に、前記回転部は、前記駆動手段によって反時計回りに回転されるものでもよい。
【００１１】
また、本発明に係る動作玩具においては、演出出力部と、前記演出出力部を作動させるスイッチと、を有する副玩具体を備え、前記回転部は、前記副玩具体が着脱可能に取り付けられる一つ以上の取付部を有し、前記取付部は、当該取付部に取り付けられた前記副玩具体の前記スイッチを操作可能な可動部を含み、前記本体部は、前記回転部の回転に応じて前記可動部と係合し、係合する前記可動部を前記スイッチを操作する方向に移動させる一つ以上のガイドを有するものでもよい。
【００１２】
また、本発明に係る動作玩具においては、前記取付部及び前記ガイドは、前記回転部の回転方向に間隔をあけて複数設けられており、前記複数の取付部の前記可動部は前記回転部の回転に応じ、互いに同期して前記副玩具体の前記スイッチを操作するものでもよい。
【００１３】
また、本発明に係る動作玩具においては、前記複数のガイドは、前記回転部が前記ロック部によってロックされている状態で前記複数の取付部の前記可動部と係合する位置に設けられており、前記複数の取付部及び前記複数のガイドの数をｎとして、前記副玩具体は、前記スイッチがｎ＋１回操作された場合に前記演出出力部を作動させるものでもよい。
【００１４】
また、本発明に係る動作玩具においては、前記副玩具体は、前記スイッチとして、第１スイッチと、第２スイッチとを有し、前記回転部は、前記複数の取付部として、第１取付部と、第２取付部とを有し、前記第１取付部の前記可動部は、前記回転部の回転に応じ、当該第１取付部に取り付けられた前記副玩具体の前記第１スイッチを操作し、前記第２取付部の前記可動部は、前記回転部の回転に応じ、当該第２取付部に取り付けられた前記副玩具体の前記第２スイッチを操作し、前記第１取付部の前記可動部によって前記第１スイッチを操作された前記副玩具体が第１演出を出力し、前記第１演出に続いて、前記第２取付部の前記可動部によって前記第２スイッチを操作された前記副玩具体が第２演出を出力するものでもよい。
【００１５】
また、本発明に係る動作玩具においては、前記演出出力部は、光及び音の少なくとも一方による演出を出力するものでもよい。
【発明の効果】
【００１６】
本発明によれば、使用者が感覚的に回転部材を回転させるべき方向を認識することが可能な動作玩具を提供することができる。
【図面の簡単な説明】
【００１７】
【図１】本発明の実施形態を説明するための、動作玩具の一例を示す正面図である。
【図２】図１の動作玩具の平面図である。
【図３】図１の動作玩具の動作を示す正面図である。
【図４】（Ａ）及び（Ｂ）はロック部の構造を示す模式図である。
【図５】回転部を一方向に回転させる駆動手段の配置例を示す正面図である。
【図６】駆動手段の構造を示す模式図である。
【図７】駆動手段の構造を示す模式図である。
【図８】（Ａ）〜（Ｄ）は回転部が回転する様子を順に示す正面図である。
【図９】図１の動作玩具の機能ブロック図である。
【図１０】副玩具体が保持する識別情報の構成例を示す模式図である。
【図１１】第１取付部に取り付けられる副玩具体の識別情報を読み取る読取部の構成例を示す模式図である。
【図１２】第２取付部に取り付けられる副玩具体の識別情報を読み取る読取部の構成例を示す模式図である。
【図１３】可動部を移動させる移動機構の配置例を示す正面図である。
【図１４】移動機構の構造を示す模式図である。
【図１５】副玩具体の演出例を示すタイミングチャートである。
【発明を実施するための形態】
【００１８】
図１及び図２は、本発明の実施形態を説明するための、動作玩具の一例を示し、図３は、図１の動作玩具の動作を示す。なお、本実施形態の説明上、後述するロック解除ボタン６が存在する方向を「上方向」、その反対の方向を「下方向」とし、また、回転部３の回転軸Ｚに沿って回転部３が存在する方向を「前方向」、その反対の方向を「後方向」として説明する。  
【００１９】
動作玩具１は、本体部２と、本体部２に対して回転可能な回転部３とを備える。本体部２にはベルト４が設けられており、本体部２は、例えば使用者の腰部に装着可能に構成されている。
【００２０】
回転部３は、副玩具体１０１、１０２が着脱可能に取り付けられる第１取付部７及び第２取付部８を有する。第１取付部７と第２取付部８とは、回転部３の回転軸Ｚと交わる回転部３の中央部９を間に挟んで互いに対向する位置に設けられている。なお、図示の例では、副玩具体１０１が第１取付部７に取り付けられ、副玩具体１０２が第２取付部８に取り付けられているが、例えば副玩具体１０１の上下を逆に且つ左右を逆に配置することによって、副玩具体１０１は第２取付部８にも取り付け可能である。
【００２１】
動作玩具１は、回転部３を回転不能にロックするロック部５と、ロック解除ボタン６とを備える。回転部３がロック部５によってロックされている状態で、回転部３の第１取付部７と第２取付部８との対向方向は、ベルト４の延在方向に平行となっている。第１取付部７と第２取付部８との対向方向がベルト４の延在方向に平行となる回転部３の位置を、以下ではロック位置と言う。
【００２２】
ロック解除ボタン６は本体部２に設けられており、ロック解除ボタン６が操作されることにより、回転部３のロックが解除される。回転部３は、ロックの解除に伴い、図３に示す矢印Ａ１の方向に所定角度回転される。以下に、ロック部５と、ロックの解除に伴い回転部３を所定角度回転させる駆動手段とについて説明する。
【００２３】
図４は、ロック部５を示す。
【００２４】
ロック部５は、ロックピン１０と、バネ１１とを有する。ロックピン１０は、回転部３の回転軸Ｚに沿って移動可能に、本体部２によって支持されている。バネ１１は、ロックピン１０を回転部３側に向けて弾性的に付勢している。回転部３の本体部２側の背面には、凹部１２が設けられており、図４（Ａ）に示すように、回転部３が上記ロック位置に配置されている状態で、ロックピン１０の凸部１３が凹部１２に嵌合する。凸部１３が凹部１２に嵌合することにより、回転部３は回転不能にロックされる。
【００２５】
ロック解除ボタン６は、回転部３の回転軸Ｚと交差する方向に移動可能に、本体部２によって支持されている。ロックピン１０には、ロックピン１０の移動方向及びロック解除ボタン６の移動方向に対して傾いた（本実施形態においては、下方向に向かうに伴い後からから前へ向かうように傾いた）傾斜面１４が形成されており、ロック解除ボタン６にも同様に傾いた（本実施形態においては、下方向に向かうに伴い後から前へ向かうように傾いた）傾斜面１５が形成されている。ロック解除ボタン６が、図４（Ｂ）に示す矢印Ａ２の方向に押されることにより、ロック解除ボタン６の傾斜面１５がロックピン１０の傾斜面１４を摺動し、傾斜面１４が、ロックピン１０の移動方向に沿って本体部２側に押し込まれる。これにより、ロックピン１０の凸部１３が凹部１２から外れ、回転部３のロックが解除される。
【００２６】
図５から図７は、ロックの解除に伴い回転部３を所定角度回転させる駆動手段の一例を示す。
【００２７】
図５から図７に示す駆動手段２０は、カム２１と、フォロア２２と、バネ２３とを有する。カム２１は、本体部２に設けられており、略三角形状に形成され、回転部３の回転方向である矢印Ａ１の方向に傾いた（本実施形態においては、下方向に向かうに伴い前から後へ向かうように傾いた）傾斜面２４を有する。回転部３の回転軸Ｚからみて外径側に位置する傾斜面２４の縁部２４ｅは、径方向に傾いている。フォロア２２は、回転部３に設けられており、回転部３の回転軸Ｚを中心としてカム２１と交わる円周上に配置され、バネ２３によって本体部２側に向けて弾性的に付勢されている。なお、本実施形態においては、カム２１が本体部２に設けられ、フォロア２２が回転部３に設けられている形態を説明するが、逆にカム２１が回転部３に設けられ、フォロア２２が本体部２に設けられているようにしてもよい。
【００２８】
回転部３がロックされている際に、フォロア２２は、三角形状のカム２１の頂部を矢印Ａ１の方向に超えた位置Ｐ１１にあって、カム２１の傾斜面２４の上端部で縁部２４ｅに接している。回転部３のロックが解除されると、バネ２３によって付勢されているフォロア２２が、傾斜面２４の上端部から下端部に向けて傾斜面２４を摺動し、摺動するのに伴って回転部３を矢印Ａ１の方向に回転させる。フォロア２２が傾斜面２４の下端部に達する位置Ｐ１２まで移動することにより、回転部３が所定角度回転される。
【００２９】
駆動手段２０によって所定角度回転された回転部３は、ストッパ２５によって制止される。ストッパ２５は、回転部３に設けられており、回転部３の回転軸Ｚを中心としてカム２１と交わる円周上に配置され、バネ２６によって本体部２側に向けて弾性的に付勢されている。回転部３がロックされている際に、ストッパ２５は、カム２１から離間した位置Ｐ２１にあり、回転部３が駆動手段２０によって所定角度回転されることにより、カム２１に接する位置Ｐ２２に移動される。回転部３は、ストッパ２５とカム２１との当接により、ロック位置から所定角度回転された位置に制止される。回転部３を矢印Ａ１の方向にさらに回転させる外力が回転部３に加わると、ストッパ２５がカム２１の頂部を乗り越え、ストッパ２５が外れる。これにより、回転部３は矢印Ａ１の方向にさらに回転される。
【００３０】
図８は、回転部３が回転する様子を示す。なお、図８では、第１取付部７にのみ副玩具体１０１が取り付けられている。
【００３１】
本実施形態では、本体部２を装着した使用者を正面から見た場合に、回転部３は反時計回りに回転されるように構成されている。まず、図８（Ａ）に示すように、回転部３はロック位置に配置されている。使用者がロック解除ボタン６を操作することにより、回転部３のロックが解除される。図８（Ｂ）に示すように、回転部３のロックが解除されることにより、回転部３は、駆動手段２０によって矢印Ａ１の方向（反時計回り）に所定角度回転され、ストッパ２５によって制止される。このとき、ロックピン１０の凸部１３は凹部１２からずれているので、ロック解除ボタン６が解放されたとしても、回転部３のロックは解除されたままである。
【００３２】
その後、例えば、使用者が第１取付部７を勢いよく押し下げることにより、ストッパ２５が外れ、図８（Ｃ）に示すように、回転部３が矢印Ａ１の方向にさらに回転される。そして、図８（Ｄ）に示すように、回転部３が、１回転して再びロック位置に戻ると、回転部３は、ロック部５によって再びロックされる。このように構成された動作玩具１によれば、ロック解除ボタン６が操作された際に回転部３が一方向に所定角度回転されるので、回転部３の適切な回転方向（回転部３を回転させるべき方向）を使用者が容易に認識することができる。
【００３３】
なお、本例では、回転部３は、カム２１と、フォロア２２と、バネ２３とを有する駆動手段２０によって一方向に回転されるが、駆動手段はカム２１と、フォロア２２と、バネ２３とを有するものに限定されない。例えば、回転部３の回転軸Ｚから外れた位置に回転部３の重心が設けられていてもよく、この場合、回転部３のロックが解除された際に、重心の位置が下方に向かうように回転部３が一方向に回転する。
【００３４】
動作玩具１の興趣性を高める観点から、回転部３は、第１取付部７及び／又は第２取付部８に副玩具体１０１，１０２が取り付けられることによって演出出力可能に構成されている。副玩具体１０１，１０２も、第１取付部７又は第２取付部８に取り付けられ、回転部３と一体に回転されることにより、演出出力可能に構成されている。
【００３５】
図９は、動作玩具１の機能ブロックを示す。
【００３６】
副玩具体１０１，１０２は固有の識別情報ＩＤを有する。回転部３は、副玩具体１０１，１０２の識別情報ＩＤを読み取る第１読取部３０及び第２読取部３１と、主演出出力部３２と、主演出出力部３２の動作データ等を記憶した主記憶部３３と、主制御部３４とを有する。
【００３７】
第１読取部３０は、第１取付部７に設けられており、第１取付部７に取り付けられた副玩具体１０１，１０２の識別情報ＩＤを読み取る。第２読取部３１は、第２取付部８に設けられており、第２取付部８に取り付けられた副玩具体１０１，１０２の識別情報ＩＤを読み取る。
【００３８】
主演出出力部３２は、本例では、文字、記号、画像を表示可能なドットマトリクスＬＥＤ（Light Emitting Diode）等の表示器が用いられており、回転部３の中央部９に設けられている。なお、演出は、文字、記号、画像の表示に限られず、音声や光を用いたものであってもよく、演出に応じて種々のデバイスが用いられる。
【００３９】
主記憶部３３は、ＲＯＭ（Read Only Memory）やＲＡＭ（Random Access Memory）などの記憶媒体を含んで構成されており、主制御部３４が実行するプログラムや、副玩具体の識別情報に対応する動作データを記憶している。
【００４０】
主制御部３４は、マイクロプロセッサを主体として構成され、主記憶部３３に記憶されたプログラムに従って動作することにより、回転部３の各部の動作を統括的に制御する。主制御部３４は、第１読取部３０又は第２読取部３１によって読み取られた識別情報ＩＤに対応する動作データを主記憶部３３から読み出し、読み出した動作データに基づいて主演出出力部３２を動作させる。
【００４１】
副玩具体１０１は、回転部３の第１取付部７又は第２取付部８への取り付け及び回転部３の回転を検出する検出部１１０と、副演出出力部１１１と、副演出出力部１１１の動作データ等を記憶した副記憶部１１２と、副制御部１１３とを有する。副玩具体１０２もまた、検出部１１０と、副演出出力部１１１と、副記憶部１１２と、副制御部１１３とを有する。
【００４２】
副演出出力部１１１は、スピーカ等の発音体やＬＥＤ（Light Emitting Diode）等の発光体を含み、音声や光を用いた演出を出力可能に構成されている。副記憶部１１２は、ＲＯＭやＲＡＭなどの記憶媒体を含んで構成されており、副制御部１１３は、マイクロプロセッサを主体として構成されている。
【００４３】
副記憶部１１２には、動作データとして、第１動作データと、第２動作データとが記憶されている。第１動作データは、副玩具体１０１，１０２が第１取付部７又は第２取付部８に取り付けられたタイミングで出力する演出に対応しており、第２動作データは、回転部３が１回転されたタイミングで出力する演出に対応している。
【００４４】
副玩具体１０１，１０２が第１取付部７又は第２取付部８に取り付けられたことが検出部１１０によって検出されると、副制御部１１３は、第１動作データを副記憶部１１２から読み出し、読み出した第１動作データに基づいて副演出出力部１１１を動作させる。また、回転部３が１回転されたことが検出部１１０によって検出されると、副制御部１１３は、第２動作データを副記憶部１１２から読み出し、読み出した第２動作データに基づいて副演出出力部１１１を動作させる。
【００４５】
図１０は副玩具体１０１が保持する識別情報ＩＤと、回転部３の第１取付部７又は第２取付部８への取り付け及び回転部３の回転を検出する検出部１１０の構成例を示す。また、図１１は回転部３の第１取付部７の構成例を示し、図１２は回転部３の第２取付部８の構成例を示す。
【００４６】
図１０に示すように、副玩具体１０１は、回転部３に対向する面に、副玩具体１０１が第１取付部７又は第２取付部８に取り付けられる際の取り付け方向等を規定するレール４０と、識別情報ＩＤを構成する複数の突起４１と、検出部１１０を構成する第１スイッチ４２及び第２スイッチ４３とを有する。
【００４７】
複数の突起４１は行列状に配列されており、突起４１の配列パターンによって識別情報ＩＤが構成される。本例ではＸ方向に３列且つＹ方向に３行の行列状に配列された９箇所の行列要素のうち、６箇所に突起４１が設けられている。
【００４８】
図１１に示すように、回転部３の第１取付部７は、副玩具体１０１のレール４０と係合するレールガイド５０と、副玩具体１０１の識別情報ＩＤを読み取る第１読取部３０を構成する第１スイッチ５１〜第３スイッチ５３と、副玩具体１０１の第１スイッチ４２及び第２スイッチ４３を押圧可能な可動押圧部５４及び固定押圧部５５とを有する。
【００４９】
第１スイッチ５１〜第３スイッチ５３はＸ方向に並んで設けられており、副玩具体１０１が第１取付部７に取り付けられる際に、一行目の突起群が第１スイッチ５１〜第３スイッチ５３を通過し、次いで二行目の突起群が第１スイッチ５１〜第３スイッチ５３を通過し、最後に三行目の突起群が第１スイッチ５１〜第３スイッチ５３を通過する。これにより、複数の突起４１の配列パターンが検出され、識別情報ＩＤが読み取られる。
【００５０】
可動押圧部５４は、回転部３の回転に応じて第１取付部７の表面に突出し、また第１取付部７の内部に没入する。可動押圧部５４は、少なくとも回転部３がロック位置に配置されている場合に第１取付部７の表面に突出し、突出することにより、第１取付部７に取り付けられた副玩具体１０１の第１スイッチ４２を押圧する。一方、固定押圧部５５は、第１取付部７の表面に突出した状態に固定的に設けられており、第１取付部７に取り付けられた副玩具体１０１の第２スイッチ４３を常に押圧する。
【００５１】
回転部３がロック位置に配置されている状態で副玩具体１０１が第１取付部７に取り付けられた際に、副玩具体１０１の第１スイッチ４２及び第２スイッチ４３が可動押圧部５４及び固定押圧部５５によって押圧され、これにより、副玩具体１０１が第１取付部７に取り付けられたことが検出される。また、回転部３が１回転されて再びロック位置に戻る過程で、可動押圧部５４が突没を繰り返し、第１スイッチ４２が所定回数オン／オフされる。これにより、回転部３が１回転されたことが検出される。
【００５２】
回転部３の第２取付部８もまた、第１取付部７と同様に、レールガイド５０と、副玩具体１０１の識別情報ＩＤを読み取る第２読取部３１を構成する第１スイッチ５１〜第３スイッチ５３と、副玩具体１０１の第１スイッチ４２及び第２スイッチ４３を押圧可能な可動押圧部５４及び固定押圧部５５とを有する。
【００５３】
ここで、図１２に示すように、副玩具体１０１は、上下を逆に且つ左右を逆に配置して、第２取付部８にも取り付け可能である。第２取付部８における第１スイッチ５１〜第３スイッチ５３の並びと、第１取付部７における第１スイッチ５１〜第３スイッチ５３の並びとは、上下に逆となっており、これにより、第１読取部３０が副玩具体１０１の突起４１の配列パターンを検出して読み取られる識別情報ＩＤと、第２読取部３１が副玩具体１０１の突起４１の配列パターンを検出して読み取られる識別情報ＩＤとが同一となる。
【００５４】
一方、第２取付部８における可動押圧部５４及び固定押圧部５５の並びと、第１取付部７における可動押圧部５４及び固定押圧部５５の並びとは、上下に同じである。したがって、副玩具体１０１が第２取付部８に取り付けられた場合に、回転部３が１回転されて再びロック位置に戻る過程で、第２スイッチ４３が所定回数オン／オフされる。回転部３の回転に応じて第１スイッチ４２及び第２スイッチ４３のいずれがオン／オフされるかに基づき、副玩具体１０１が第１取付部７及び第２取付部８のいずれに取り付けられているかも併せて検出される。
【００５５】
図１３及び図１４は、可動押圧部５４の移動機構を示す。
【００５６】
回転部３の第１取付部７及び第２取付部８それぞれの可動押圧部５４を突没させる移動機構６０は一対のガイド６１を有する。一対のガイド６１は、回転部３がロック位置に配置されている状態で、第１取付部７及び第２取付部８それぞれの可動押圧部５４の背後において、回転部３側に向けて突出して本体部２に設けられており、略台形状に形成されている。可動押圧部５４は、回転部３の回転軸Ｚを中心としてガイド６１と交わる円周上に配置されており、バネ６２によって本体部２側に向けて弾性的に付勢されている。
【００５７】
回転部３がロック位置に配置されている場合に、第１取付部７の可動押圧部５４は、一方のガイド６１に乗り上げており、第１取付部７の表面に突出して配置される。回転部３がロック位置から１８０°回転された場合に、第１取付部７の可動押圧部５４は、他方のガイド６１に乗り上げ、第１取付部７の表面に突出して配置される。第２取付部８の可動押圧部５４も同様に、回転部３がロック位置に配置されている場合、及びロック位置から１８０°回転された場合に、ガイド６１に乗り上げ、第２取付部８の表面に突出して配置される。
【００５８】
ガイド６１の数をｎ（本例ではｎ＝２）として、回転部３が、ロック位置に配置されている状態から、１回転されて再びロック位置に戻るまでに、第１取付部７の可動押圧部５４は、ロック位置に配置されている状態での突出を１回目と数えると、第１取付部７の表面にｎ＋１回突出するように配置されている。換言すれば、副玩具体１０１が第１取付部７に取り付けられているものとして、副玩具体１０１の第１スイッチ４２がロック位置に配置されている状態でオンとされていることを１回目と数えると、回転部３が、ロック位置に配置されている状態から、１回転されて再びロック位置に戻るまでに、副玩具体１０１の第１スイッチ４２はｎ＋１回オンされる。また、副玩具体１０１が第２取付部８に取り付けられているものとして、副玩具体１０１の第２スイッチ４３がロック位置に配置されている状態でオンとされていることを１回目と数えると、回転部３が、ロック位置に配置されている状態から、１回転されて再びロック位置に戻るまでに、副玩具体１０１の第２スイッチ４３はｎ＋１回オンされる。このように、副玩具体１０１の第１スイッチ４２又は第２スイッチ４３がｎ＋１回オンされた場合に、回転部３が１回転したことが検出され、第１スイッチ４２及び第２スイッチ４３のいずれがオン／オフされるかに基づき、副玩具体１０１が第１取付部７及び第２取付部８のいずれに取り付けられているかも併せて検出される。
【００５９】
図１５は、第１取付部７に取り付けられている副玩具体１０１と、第２取付部８に取り付けられている副玩具体１０２とから出力される演出の一例を示す。なお、副玩具体１０１と、副玩具体１０２とは、同種の副玩具体であってもよいし異種の副玩具体であってもよい。
【００６０】
まず、時刻Ｔ１に、副玩具体１０１が第１取付部７に取り付けられる。このとき、副玩具体１０１の第１スイッチ４２が第１取付部７の可動押圧部５４によって押圧され、同時に、第２スイッチ４３が固定押圧部５５によって押圧され、副玩具体１０１に記憶されている第１動作データに対応した装着演出が副玩具体１０１から出力される。続いて、時刻Ｔ２に、副玩具体１０２が第２取付部８に取り付けられる。このとき、副玩具体１０２の第２スイッチ４３が第２取付部８の可動押圧部５４によって押圧され、同時に、第１スイッチ４２が固定押圧部５５によって押圧され、副玩具体１０２に記憶されている第１動作データに対応した装着演出が副玩具体１０２から出力される。そして、副玩具体１０１による装着演出の出力が完了し、副玩具体１０２による装着演出の出力が完了した後の時刻Ｔ３に、回転部３が１回転される。
【００６１】
副玩具体１０１及び副玩具体１０２は、回転部３が１回転されたことをそれぞれ検出し、副玩具体１０１は、副玩具体１０１に記憶されている第２動作データに対応した演出を実行し、副玩具体１０２もまた、副玩具体１０１に同期して、副玩具体１０２に記憶されている第２動作データに対応した演出を実行する。
【００６２】
ここで、第２動作データは、第１スイッチ４２がオン／オフされることに基づき選択される第１演出と、第２スイッチ４３がオン／オフされることに基づき選択される第２演出とを有する。第２動作データの第１演出は、第２動作データの実行時間の前半部分に実行されるものであり、第２演出は第２動作データの実行時間の後半部分に実行されるものである。副玩具体１０１は、第１スイッチ４２がオン／オフされることに基づき、第１取付部７に取り付けられていることを認識し、第２動作データの第１演出を選択して出力する。一方、副玩具体１０２は、第２スイッチ４３がオン／オフされることに基づき、第２取付部８に取り付けられていることを認識し、第２動作データの第２演出を選択して出力する。この場合に、副玩具体１０１が第１演出を出力し、この第１演出に続いて、副玩具体１０２が第２演出を出力する。このように、前半の第１演出に続いて後半の第２演出が出力されると、副玩具体１０１と副玩具体１０２との間で掛け合いを実現することができる、興趣性をより高めることができる。
【００６３】
なお、図１５に示す例では、副玩具体１０１の装着演出の出力が完了した後に、副玩具体１０２の装着演出の出力が開始されているが、副玩具体１０１の装着演出の出力途中に副玩具体１０２が第２取付部８に装着され、副玩具体１０１の装着演出と副玩具体１０２の装着演出とが重畳してもよい。また上記実施形態では、スイッチの押圧により動作する例を説明しているが、スイッチを操作することにより動作するものであればこれに限られない。例えば、スイッチの押圧を解除することによるスイッチのオンとオフとの変化を認識して動作するようにしても良い。
【符号の説明】
【００６４】
１  動作玩具
２  本体部
３  回転部
４  ベルト
５  ロック部
６  ロック解除ボタン
７  第１取付部
８  第２取付部
９  中央部
１０  ロックピン
１１  バネ
１２  凹部
１３  凸部
１４  傾斜面
１５  傾斜面
２０  駆動手段
２１  カム
２２  フォロア
２３  バネ
２４  傾斜面
２５  ストッパ
２６  バネ
３０  第１読取部
３１  第２読取部
３２  主演出出力部
３３  主記憶部
３４  主制御部
４０  レール
４１  突起
４２  第１スイッチ
４３  第２スイッチ
５０  レールガイド
５１  第１スイッチ
５３  第３スイッチ
５４  可動押圧部
５５  固定押圧部
６０  移動機構
６１  ガイド
６２  バネ
１０１  副玩具体
１０２  副玩具体
１１０  検出部
１１１  副演出出力部
１１２  副記憶部
１１３  副制御部
Ａ１  矢印
Ａ２  矢印
ＩＤ  識別情報
ＬＥＤ  ドットマトリクス
Ｐ１１  位置
Ｐ１２  位置
Ｐ２１  位置
Ｐ２２  位置
Ｔ１  時刻
Ｔ２  時刻
Ｔ３  時刻
Ｚ  回転軸
【図１】
2019209118.tif 000003
【図２】
2019209118.tif 000004
【図３】
2019209118.tif 000005
【図４】
2019209118.tif 000006
【図５】
2019209118.tif 000007
【図６】
2019209118.tif 000008
【図７】
2019209118.tif 000009
【図８】
2019209118.tif 000010
【図９】
2019209118.tif 000011
【図１０】
2019209118.tif 000012
【図１１】
2019209118.tif 000013
【図１２】
2019209118.tif 000014
【図１３】
2019209118.tif 000015
【図１４】
2019209118.tif 000016
【図１５】
2019209118.tif 000017